(57)【特許請求の範囲】
【請求項１】
垂直に架設される吊りボルト体に設置されるボックスの固定装置であって、
貫通孔を有するボックス本体と、前記ボックス本体を前記吊りボルト体に固定する固定具とからなり、
前記固定具は、前記開口部先端に設けられた近接部を相対的に近接させるべく塑性変形させることにより、前記吊りボルト体に係合して取着する取着部と、
前記取着部の開口部の反対側に一体に設けられ、前記貫通孔に挿通されて前記ボックス本体に螺着する螺着部とを備えていることを特徴とするボックス固定装置。
【請求項２】
開口を壁表に臨ませ該開口から器具類を挿入されて壁表に器具類を固定するために、壁裏の柱等に架設されるボルト体に設置されるボックスの固定装置であって、
貫通孔を有するボックス本体と、前記ボックス本体を前記ボルトに固定する固定具とからなり、
前記固定具は、前記開口部先端に設けられた近接部を相対的に近接させるべく塑性変形させることにより、前記ボルト体に係合して取着する取着部と、
前記取着部の開口部の反対側に一体に設けられ、貫通孔に挿通されてボックス本体に螺着する螺着部とを備えていることを特徴とするボックス固定装置。
【請求項３】
前記螺着部は、ボックス本体に形成された貫通孔に強制螺入可能なタッピングねじで形成されていることを特徴とする請求項１又は２に記載のボックス固定装置。
【請求項４】
前記固定具は、少なくとも２つ備えていることを特徴とする請求項１〜３の何れか１項に記載のボックス固定装置。
【請求項５】
前記固定具は、前記螺着部の軸心と螺着部をボックス本体に取り付ける際の取着部の回転軸心が非平行に形成されていることを特徴とする請求項１〜４の何れか１項に記載のボックス固定装置。
【請求項６】
前記ボックス本体には、底壁と側壁とにそれぞれ貫通孔が形成されていることを特徴とする請求項２〜５の何れか１項に記載のボックス固定装置。
【発明の詳細な説明】
【技術分野】
【０００１】
本発明は、ボルト体に対して、例えば配線用ボックス等のボックスが固定可能なボックス固定装置に関する。
【背景技術】
【０００２】
配線用ボックスを二重天井内の吊りボルトや配筋等の支持材に取り付ける配線ボックス用取付具として、吊りボルトや配筋等の支持材に対して固定される取付け台の一面に、配線ボックスの底部に設けた取付孔に差込む突起部を形成し、この突起部に取付孔の壁面に引っ掛かる爪部を形成することにより、配線ボックスの取付けをワンタッチで行えるようにしたものがある（特許文献１）。
【０００３】
しかし、別途取付台を作製しなければならず、コストが係るのみならず、この取付台を個々の配線ボックスの孔に合わせて爪部を設けなければならず、汎用性がないという問題点があった。
【０００４】
また、本発明者は、ボルト体に対し、当該ボルト体の側方より取着する取着体であって、前記取着には、前記ボルト体の外面螺子に係合する係合突起を備えた係合部と、当該係合部内に前記ボルト体を侵入させる開口部と、該係合部より先端側に設けられた、近接部とを有する取着部を形成し、この取着部の開口部からボルト体を侵入させた後、前記近接部を相対的に近接させるべく前記係合部を塑性変形させて、当該係合部を前記ボルト体の外面に沿って配置させ、前記係合突起を前記ボルト体の外面螺子に係合した状態を維持させることにより、前記取着体を前記ボルト体に取着可能とすることを特徴とするボルト体への取着体、について提案している（特許文献２）。
【０００５】
しかし、この取着体は、配設体に直接取り付ける機構を持っておらず、配設体に形成された一対の貫通孔に、取着体（固定具）の係合部をそれぞれ挿通し、これら係合部をボルト体に対して側方に挿入固定する必要があった。そのため、取付が困難であり、作業性が悪かった。
【特許文献１】特開２００３−３１９５２９
【特許文献２】国際公開番号ＷＯ０３／０４２５５６
【発明の開示】
【発明が解決しようとする課題】
【０００６】
そこで、本発明は以上のような課題を解決するためになされたものであり、ボルト体への例えば配線用ボックス等のボックスの取付が容易に可能なボックス固定装置を提供することにある。
【課題を解決するための手段】
【０００７】
以上のような課題を解決するために、請求項１記載の発明が採った手段は、垂直に架設される吊りボルト体に設置されるボックスの固定装置であって、
貫通孔を有するボックス本体と、前記ボックス本体を前記吊りボルト体に固定する固定具とからなり、垂直に架設される吊りボルト体にボックスが設置される固定装置であって、貫通孔を有するボックス本体と、前記ボックス本体を前記吊りボルト体に固定する固定具とからなり、前記固定具は、前記開口部先端に設けられた近接部を相対的に近接させるべく塑性変形させることにより、前記吊りボルト体に係合して取着する取着部と、前記取着部の開口部の反対側に一体に設けられ、前記貫通孔に挿通されて前記ボックス本体に螺着する螺着部とを備えていることを特徴とするボックス固定装置、とするものである（以下、当該発明を「第一発明」と略称する。）。
【０００８】
【０００９】
【００１０】
【００１１】
また、請求項２に記載の発明が採った手段は、開口を壁表に臨ませ該開口から器具類を挿入されて壁表に器具類を固定するために、壁裏の柱等に架設されるボルト体に設置されるボックスの固定装置であって、
ボックス本体と、前記ボックス本体を前記ボルトに固定する固定具とからなり、
前記固定具は、前記開口部先端に設けられた近接部を相対的に近接させるべく塑性変形させることにより、前記ボルト体に係合して取着する取着部と、
前記取着部の開口部の反対側に一体に設けられ、前記貫通孔に挿通されて前記ボックス本体に螺着する螺着部とを備えていることを特徴とするボックス固定装置、とするものである（以下、当該発明を「第二発明」と略称する。）。
【００１２】
また、請求項３に記載の発明が採った手段は、前記螺着部は、ボックス本体に形成された貫通孔に強制螺入可能なタッピングねじで形成されていることを特徴とする請求項１又は２に記載のボックス固定装置、とするものである。
【００１３】
また、請求項４に記載の発明が採った手段は、前記固定具は、前記固定具は、少なくとも２つ備えている請求項１〜３の何れか１項に記載のボックス固定装置、とするものである。
【００１４】
また、請求項５に記載の発明が採った手段は、前記固定具は、前記螺着部の軸心と螺着部をボックス本体に取り付ける際の取着部の回転軸心が非平行に形成されていることを特徴とする請求項１〜４の何れか１項に記載のボックス固定装置、とするものである。
【００１５】
また、請求項６に記載の発明が採った手段は、前記ボックス本体には、底壁と側壁とにそれぞれ貫通孔が形成されている請求項２〜５の何れか１項に記載のボックス固定装置、とするものである。
【発明の効果】
【００１６】
請求項１記載のボックス固定装置によれば、固定具の取着部は、垂直に架設された吊りボルト体に対し、開口部先端の近接部を相対的に近接するように塑性変形させるだけで吊りボルト体に容易に係合固定が可能であり、一方、固定具の螺着部は、ボックス本体に形成されている貫通孔に容易に固定することができるため、ボックス本体を容易に吊りボルト体に固定することができるようになる。
【００１７】
【００１８】
【００１９】
【００２０】
請求項２記載のボックス固定装置によれば、取着部の開口先端に設けられた近接部を、ボルト体を挿入した状態で近接させることによって、ボルト体に容易に取付可能なボックスの固定装置とすることができる。
【００２１】
請求項３記載のボックス固定装置によれば、螺着部はタッピングねじで作製されているので、固定具を容易にボックス本体に取り付けることができる。
【００２２】
請求項４記載のボックス固定装置によれば、固定具が少なくとも２個設けられているので、より安定してボルト体に固定することができる。これは、単に固定場所が２カ所になることでの固定力の強化に加え、実際に固定具をボックス固定装置に取り付けた場合に、完全に２個の固定具を平行に差し込まれることは極めて稀であり、実際には、多少互いがねじれた配置で取り付けられることになる。そのため、取着部の係合螺子面のピッチが互いにずれて配置され、このずれによって１つのときと比較してボルト体の外周を回転しづらくすることができるのである。
【００２３】
さらに、固定具が一つであれば、螺着部を軸として回転してしまう可能性があるが、固定具を２個設けることによって、この方向の回転からは完全に防止することができるようになる。
【００２４】
請求項５記載のボックス固定装置によれば、前記螺着部の軸心と螺着部をボックス本体に取り付ける際の取着部の回転軸心が非平行に設けられているため、ボルト体に取り付けられた取着部は軸心方向に対して傾いて取り付けられることになる。従って、ボックス固定装置がボルト体の外周を回転するのを防止することができる。
【００２５】
請求項６記載のボックス固定装置によれば、ボックスの底壁又は側壁のいずれにも固定具を取り付けることができて、ボルト体に対する固定場所を適宜選択することが可能となる。
【発明を実施するための最良の形態】
【００２６】
本発明のボックス固定装置に用いるボルト体の固定具は、取着部と螺着部とを備えており、取着部は吊りボルト等のボルト体に対して固定する機能を有し、螺着部は、配線用ボックス等のボックスに対して固定する機能を有する。すなわち、本発明のボックス固定装置に用いるボルト体の固定具は、ボルト体とボックス本体とを互いに固定するための中間固定具としての機能を有するものである。
【００２７】
取着部は、ボルト体を側方から挿入可能な略Ｕ字型の開口部をなしており、ボルト体の外周に密着するように半円状に形成された部分と、その両側からボルト体を挿入した後に変形して被取着体であるボルト体を固定する直線状の部分と、その直線上の部分から両側方に広がっている先端部とから形成されている。半円状に形成された部分は、ボルト体の外周に密着するため変形することはない。一方直線上の部分と先端部は、ボルト体を開口部内に配置固定させることができるように互いを相対的に近接するように塑性変形可能に形成され、近接部をなしている。さらに、開口部内面は、ボルト体の外面螺子面と係合する係合螺子面が設けられており、開口部内部に固定した後は軸方向の移動が防止されている。取着部は、最終的にはボルト体を内部に挿入した状態で塑性変形してその状態を維持するものであるので、塑性変形が容易でかつ塑性変形後の形態を維持可能な素材が用いられる。好ましくは、鋼材で作製するとよい。
【００２８】
一方、螺着部は、取着部の開口部と反対側、すなわち半円状に形成された塑性変形しない部分に、いわゆるボルトやねじを設けたものである。この部位に設けることによって、近接部を塑性変形させたとしても、螺着部への影響はなく円形状に形成された部分との螺着部との相対位置が変わることはない。
【００２９】
この螺着部は、配線用ボックス等のボックスとの間で固定されるものであり、ボックスに予め設けた貫通孔を利用して取り付けられる。螺着部がボルトタイプの場合は、ボルトの太さよりも大きい貫通孔に通して、裏面からナットで締め付けたり、ナットで挟み込んだりして固定する（図４参照）。螺着部が先細りのねじ型タイプの場合は、タッピンねじとして使用し、貫通孔に対して自ら雌ねじを加工しながらねじ込んで固定していく（図１３参照）。このとき、本発明のボックス固定装置に用いるボルト体の固定具によれば、螺着部と反対側に設けられている取着部がいわゆるちょうボルトの如く機能するため、指で容易にねじ込んでいくことができる。なお、前記螺着部の軸心と、螺着部をボックスに取り付ける際の取着部の回転軸心とが斜めに形成してもよい。すなわち、図１４に示すように取着部の回転軸心αに対して、螺着部の軸心βをθだけずらして構成してもよい。このように傾けて設ければ、複数取り付けられたボルト体への固定具のそれぞれのボルト体の外面螺子面と取着部の係合螺子面とがねじれて取り付けられる（開口部に対して、ボルト体が傾いた状態で取り付けられる）ことになり（図１５参照）、ボルト体の外周を取着部が回転するのを防止することができるからである。
【００３０】
ボックスに取り付けるボルト体の数量は限定するものではないが、２本以上取り付けるとよい。また取り付ける位置は、最終的にボルト体に対してボックスを配置する位置に応じて、ボックスの底面や側面に予め設けられている貫通孔を適宜選択して取り付ければよい。こうしてボルト体への固定具を取り付けられたボックスは、取着部側でボルト体に取り付ける。取着部の近接部を塑性変形する方法は限定するものではないが、近接部をペンチ等の挟み工具Ｔを用いれば容易に塑性変形させることができる（図５参照）。この塑性変形によって、ボルト体の外面螺子面と取着部の係合螺子面とが係合した状態でボルト体に取り付けられることになる。
【００３１】
さらに、取着部がボルト体の回りを回転しないように回り止め金具を設けるとよい。回り止め金具は、近接した近接部をさらに締め付けて、近接部をボルト体に固定するためのものである。すなわち、近接部をペンチ等で締め付けたとしても、若干の隙間が近接部同士の間に形成されてしまう。そこで、回り止め金具によって、この互いの近接部をさらに締め付けて固定し、取着部がボルト体の回りを回転しないようにさせることが好ましい。回り止め金具は、近接部が重なり合った状態で嵌め込むことができる溝が形成されており、この溝内に近接部を嵌め込むことによって近接部を締め付けることができるようになっている。さらに好ましくは、溝は根元に近づくほど狭く形成し、初めは嵌めやすく嵌め込んでいくに従って近接部が締め付けることができるように形成するとよい。
こうして、ボックスは、ボルト体への固定具を介してボルト体へ固定されることになる。本発明のボックス固定装置に用いる固定具は、ボルト体の外面螺子面と取着部の係合螺子面とが係合しているのでボルト体の軸方向にずれることはなく安定してボルト体へ固定される。また、本発明の取着部によれば、開口部は、ボルト体の外面の側方よりあてがって配設した後に塑性変形させるため、前記ボルト体の端部であると中間部であると問わず、任意の位置に取着体を取り付けることが可能になる。
【００３２】
なお、本発明の第二発明に係るボックス固定装置は、前述したボルト体への固定具を、開口を壁表に臨ませ該開口から器具類を挿入されて壁表に器具類を固定するためのボックスとの組み合わせであり、固定具は前記に説明したものと同様である
【実施例１】
【００３３】
まず、本発明の第一及び第二発明に係るボックス固定装置に用いるボルト体の固定具について図に沿って説明する。図１は、本発明のボックス固定装置に用いる、ボルト体２００への固定具１００の正面図である。図２は、ボルト体への固定具１００を取着部側から見た側面図である。図３は、ボルト体への固定具１００の斜視図である。
【００３４】
ボルト体の固定具１００は、取着部１０と螺着部２０とを備えている。
取着部１０は、略Ｕ字型で先端が広がった断面をなしている。先端の広がった取着部１０の先端は近接部１３をなし、開口部１０ａの内側には、被取着体であるボルト体２００の外面螺子と係合可能な係合螺子面１２が設けられている。
【００３５】
一方、螺着部２０は、取着部１０の開口部１０ａの反対側に設けられていて、溝が螺刻されている。こうして作製されたボルト体への固定具１００は、図４に示すように、ボックスとして、開口を壁表に臨ませ該開口から器具類を挿入されて壁表に器具類を固定するボックス本体３００に設けられた貫通孔に螺着部２０を挿入し、反対側からナットで締め付けて固定された第二発明に係るボックス固定装置が作成される。なお、ナット体は、ボックス本体内部にインサートされているものを用いても構わない。
【００３６】
そして、他方の取着部１０は、図５に示すように、取着対象物であるボルト体２００の外面に対してその側方から係合螺子面１２を当接させ、その後、近接部１３をペンチ等の挟み工具Ｔによって把持し、相対的に近接させることにより前記近接部１３を塑性変形させて固定する。
【００３７】
さらに、ボルト体への固定具１００がボルト体２００の回りを回転しないように回り止め金具４０を取り付ける。回り止め金具４０は、図６に示すように近接部を互いに挟み込み、近接部の隙間ｄを締め付けて固定するためのものである。回り止め金具は近接部を挟むことができる溝４０ａを有している。この溝４０ａは、先端が広く形成されており、根元が狭く形成されており、初めは容易に手で嵌め込むことができ、最終的には図７、図８に示したように工具等で強制的に嵌め込むことによって、図９の如く近接部１３の隙間を閉じてボルトへの固定具１００へ確実に固定することができるようになっている。
【００３８】
こうしてボルト体２００へ固定した状態を示した状態を示したものが図１０に示してある。図１０においては、軽量鉄骨間に配置されたボルト体２００に固定したものであり、ボックス本体３００の側壁の貫通孔３１０にボルト体への固定具１００を２つ取り付けてボルト体２００へ固定してある。ボルト体への固定具１００の取付位置としては、特に限定するものではなく、例えば図１０に示されたボックス本体３００の上側壁に設けられた貫通孔３１０や側面側の側壁を利用してもよく、また、開口側の貫通孔３１０であっても、底面側の貫通孔３１０であってもよい。但し、ノックアウト用の孔と干渉しない位置、すなわち底面の場合には中央のノックアウト孔同士の間に設け、側面の場合にはノックアウト孔を避けるように開口側若しくは底面部側に設けることが好ましい。図１１のように、ボックス本体３００の底面に設けられた貫通孔３１０にボルト体への固定具１００を取り付けてボルト体２００へ固定してもよく、これらのボルト体への固定具の取付位置は、ボックスの固定装置を取り付ける場所によって適宜選択すればよい。例えば、軽量間仕切りのような狭い空間に取り付けるような場合は、図１０のような取付方法が適しており、比較的空間に隙間がある場合は、固定力が高い図１１のような取付方法が適している。なお、固定されるボルトは、吊りボルト等のように垂直に配置されているものであってもよいことはいうまでもない。
また、ボックス本体の内部に突出したボルト体２００によって、内部に配置される部品や電線等の損傷を防止するために、ボルト体２００の先端にカバーを被せたり、予め、先端が内部に露出しないようにボルト全体が覆われるように筒状のボルトカバー部を予めボックス本体に取り付けておいたりしてもよい。
【実施例２】
【００３９】
図１２に実施例２に係るボルト体への固定具１０１が図示されている。この実施例２に係るボルト体への固定金具１０１は、実施例１に対して、螺着部２１がタッピンねじになっている点が異なるものである。その他の点は実施例１と同様である。
【００４０】
この実施例２のボルト体への固定具１０１を用いれば、図１３に示すように、
ボックス本体３００へ固定する場合にナットを用いることなく強制螺入によって貫通孔に雌ねじを形成しつつボックス本体に固定することができる。このとき、取着部は、ちょうねじのちょうの部分として機能するため、素手で容易に強制螺入することができる
【実施例３】
【００４１】
図１４に実施例３に係るボルト体への固定具１０２が示されている。実施例３のボルト体への固定具１０２は、実施例１に対して螺着部２２の軸心２２の向きが傾いている点が異なる。すなわち、前記螺着部２２の軸心βと、螺着部２２をボックス本体３００に取り付ける際の取着部１０の回転軸心αとが角度θだけずれて非平行に設けられている。このように軸心をずらして設ければ、図１５（なお、図１５においては、実際より、取着部の傾きを強調してある。）のようにボルト体への固定具１０２を２つボックス本体３００へ取り付けたボックス固定装置を作成した場合に、取着部１０はそれぞれθ分傾いて形成され２つの取着部１０の係合螺子面の方向がずれてボルト体２００に取り付けられる。従って、ボルト体の回りを回転させようとすると、螺子面の方向が異なるためボルト体の螺子面と干渉することになる。従って、回り止め金具がなくてもボックス本体がボルト体の回りを回転するのを防止することができる。
【図面の簡単な説明】
【００４２】
【図１】本発明の実施例１に係るボックス固定装置に用いるボルト体への固定具の正面図である。
【図２】図１のボルト体への固定具を取着部側から見た側面図である。
【図３】図１のボルト体への固定具の斜視図である。
【図４】図１のボルト体の固定具をボックス本体に取り付けた本発明の第二発明に係るボックス固定装置を表す図である。
【図５】図１のボルト体への固定具の近接部を塑性変形させる方法を示した模式図である。
【図６】図１のボルト体への固定具に回り止め金具を取り付ける工程の一部を示した模式図である。
【図７】図６のボルト体への固定具に回り止め金具を取り付ける工程の一部を示した模式図である。
【図８】図６のボルト体への固定具に回り止め金具を取り付ける工程の一部を示した模式図である。
【図９】図６のボルト体への固定具に回り止め金具を取り付ける工程の一部を示した模式図である。
【図１０】図１のボルト体への固定具を用いてボックス本体をボルト体へ固定した状態を示す斜視図であり、本発明の第二発明に係るボックス固定装置を表す図である。
【図１１】図１０のボックス固定装置の変形例を示す斜視図である。
【図１２】本発明に係るボックス固定装置の実施例２に係るボルト体への固定具を示す正面図である。
【図１３】本発明に係るボックス固定装置の実施例２に係るボルト体への固定具をボックス本体へ取り付ける方法を示す斜視図である。
【図１４】本発明に係るボックス固定装置の実施例３に係るボルト体への固定具を示す側面図である。
【図１５】本発明に係るボックス固定装置の実施例３に係るボルト体への固定具を用いてボックス本体をボルト体へ取り付けた状態を示す模式図である。
【符号の説明】
【００４３】
１０          取着部
１０ａ        開口部
１２          係合螺子面
１３          近接部
２０          螺着部
４０          回り止め金具
１００        ボルト体への固定具
２００        ボルト体
３００        ボックス本体
【図１】
0004664792.tif 000002
【図２】
0004664792.tif 000003
【図３】
0004664792.tif 000004
【図４】
0004664792.tif 000005
【図５】
0004664792.tif 000006
【図６】
0004664792.tif 000007
【図７】
0004664792.tif 000008
【図８】
0004664792.tif 000009
【図９】
0004664792.tif 000010
【図１０】
0004664792.tif 000011
【図１１】
0004664792.tif 000012
【図１２】
0004664792.tif 000013
【図１３】
0004664792.tif 000014
【図１４】
0004664792.tif 000015
【図１５】
0004664792.tif 000016